(57)【要約】  本発明の実施形態は、手術用レーザ（１０５）をレーザシステムに対するローカルなユーザインターフェース（１１５）（例えば、レーザシステムフロントパネル）から制御し、かつ、リモート装置（２２０）から制御することを可能とするように作動する制御アーキテクチャを持つ手術用レーザシステム（１００）を提供する。本発明の一つの実施形態によれば、一つの機能セットを実行するように作動する手術用レーザユニット（１００）は、アドバンスト制御ユニット（２００）により制御可能である。アドバンスト制御ユニット（２００）は、硝子体網膜手術システムまたは他のそのような手術システムといった手術システムである。
2010522040.tif 000002
【特許請求の範囲】
【請求項１】
第１の機能セットを実行するように作動するレーザ制御システムを有する手術用レーザユニットと、
通信ポートとを有し、
前記手術用レーザユニットは、前記通信ポートを通じて第２の機能セットを実行するよう制御されるように作動し、前記第２の機能セットは前記第１の機能セットと同一である、遠隔制御可能な手術用レーザシステム。
【請求項２】
前記通信ポートは有線通信ポートまたは無線通信ポートの何れかである、請求項１に記載の遠隔制御可能な手術用レーザシステム。
【請求項３】
前記通信ポートは、イーサネット（登録商標）ポート、RFIDポート及びRS232ポートのうちの何れかである、請求項１に記載の遠隔制御可能な手術用レーザシステム。
【請求項４】
前記第１の機能セットは、手術用レーザユニットの作動パラメータコントロールのセットである、請求項１に記載の遠隔制御可能な手術用レーザシステム。
【請求項５】
前記第２の機能セットは、前記第１の機能セットに含まれていない１又は複数の機能を有する、請求項１に記載の遠隔制御可能な手術用レーザシステム。
【請求項６】
前記第１の機能セットから機能を選択するユーザインターフェースをさらに有する、請求項１に記載の遠隔制御可能な手術用レーザシステム。
【請求項７】
前記通信ポートを通じて前記手術用レーザユニットを制御するように作動する第２の制御ユニットをさらに有し、前記第２の制御ユニットは前記手術用レーザユニットの通信ポートと連結される第２の通信ポートを有する、請求項１に記載の遠隔制御可能な手術用レーザシステム。
【請求項８】
前記第２の制御ユニットは、前記レーザ制御システムとインターフェースをとって前記第２の機能セットを実行する、請求項７に記載の遠隔制御可能な手術用レーザシステム。
【請求項９】
第１の通信ポートを有し、かつ第１の機能セットを実行するように作動する手術用レーザユニットと、
前記手術用レーザユニットの前記第１の通信ポートと連結される第２の通信ポートを有する制御ユニットとを有し、
前記制御ユニットは、前記手術用レーザユニットが第２の機能セットを実行するよう制御するように作動し、前記第１の機能セットと前記第２の機能セットは同一である、
手術用レーザシステム。
【請求項１０】
第１の機能セットを実行するレーザ制御システムと、
前記第１の機能セットから機能を選択するローカルユーザインターフェースと、
前記ローカルユーザインターフェースとリモートユーザインターフェースとを前記レーザ制御システムと作動可能に連結し、前記レーザ制御システムへ選択した機能を伝送する２以上のプロキシと、
を有する手術用レーザ制御アーキテクチャ。
【請求項１１】
前記２以上のプロキシと作動可能に連結され、第２の機能セットから機能を選択するリモートユーザインターフェースをさらに有し、前記第２の機能セットは前記第１の機能セットと同一であり、前記選択された機能は実行のために前記レーザ制御システムへ伝送される、請求項１０に記載の手術用レーザ制御アーキテクチャ。
【請求項１２】
前記リモートユーザインターフェースは通信ポートを介して前記プロキシのそれぞれと作動可能に連結される、請求項１１に記載の手術用レーザ制御アーキテクチャ。
【請求項１３】
前記ローカルユーザインターフェース、前記レーザ制御システム及び前記プロキシはローカルレーザシステムに含まれ、前記リモートユーザインターフェースはリモート手術システムに含まれる、請求項１１に記載の手術用レーザ制御アーキテクチャ。
【請求項１４】
前記リモート手術システムは硝子体網膜手術システムであり、前記ローカルレーザシステムは眼科手術用レーザである、請求項１３に記載の手術用レーザ制御アーキテクチャ。
【発明の詳細な説明】
【技術分野】
【０００１】
本発明は、手術用装置に関する。特に本発明は、手術用レーザシステムに関する。中でも本発明は、様々なユーザインターフェースから手術用レーザの一貫した制御を与えるように作動可能な手術用レーザシステムソフトウェア制御アーキテクチャに関する。
【背景技術】
【０００２】
人の眼は、軽度の悪化が視力を完全に失わせる幾つもの疾患にかかる可能性がある。コンタクトレンズと眼鏡が幾つかの疾患に対して補償可能である一方、他の疾患については眼科手術が必要とされる。一般に、眼科手術は、硝子体網膜手術といった後区手術と白内障手術といった前区手術に分類される。近年では、前区手術と後区手術の組合わせが発展してきている。
【０００３】
眼科手術において使用される手術用器具は、前区手術用または後区手術用に特化されるか、その両方をサポートする。場合によっては、その手術用器具は、広範囲な手術の実施において使用可能な機能を実装する。
【０００４】
網膜に対するレーザ手術は、数ある眼の疾患の治療において標準的なものである。レーザー光凝固術によって治療される疾患には、増殖性糖尿病網膜症、糖尿病性黄斑浮腫、類嚢胞黄斑浮腫、網膜静脈閉塞、脈絡膜血管新生、中心性漿液性脈絡網膜症、網膜裂傷及び他の損傷が含まれる。ケースの複雑さに応じて、これらの手術は、非常に大きなインフラストラクチャを持つ病院の手術室（ＯＲ）での複合手術の一部として実施されたり、あるいは、外科医のクリニックオフィス内の安価な治療エリアでの単独手術として実施される。これら二つの環境の機器のニーズは大きく異なることがある。オフィスベースの治療設備では、外科医は、代表的にはコンパクトで、携帯可能なスタンドアロンタイプのレーザユニットを好む。ＯＲにおいて硝子体手術を実施する必要がある場合、硝子体網膜手術システムに手術用レーザを一体化することが、スペースとコストを抑えることに役立つ。そのような連結システムでは、硝子体網膜手術システムを制御するのに使用されるのと同一の制御インターフェースを用いてレーザを制御できることが外科医にとって望ましいことがある。
【０００５】
従来の眼科手術システムには、様々なプラットフォームにわたって手術用レーザのソフトウェア制御システムアーキテクチャをうまく一体化できたものはない。硝子体網膜手術システムのようなより複合的な手術システムの一部として手術用レーザが一体的に組み合わされたときでさえ、レーザ用ユーザインターフェースは代表的にはレーザが組み合わされた手術システムの残り部分のユーザインターフェースとは分離される。しかし、スタンドアロンデバイスとして使用されても、あるいは手術用システムと一体化されても、手術用レーザの制御が異なるモードにおけるレーザの使用調節をする様々な構成にわたって一貫するなら、レーザはより容易かつより安全に操作される。代表的には、この手法で交互に切り替えることは、ユーザインターフェースのデザイン及び使用される制御タイプがスタンドアロンレーザユニットと病院用手術システムとの間で異なるという事実により煩雑になっている。さらに、何れかのシステムのファームウェアがアップグレードされるにつれて、強調的な挙動を維持することが困難となる。
【０００６】
そこで、レーザシステムに対するローカルなユーザインターフェース（例えば、レーザシステムフロントパネル）またはホストシステム（例えば、硝子体網膜手術システム）ユーザインターフェースといったリモート装置の何れかから手術用レーザを制御することが可能な手術用レーザシステム制御アーキテクチャが必要とされている。
【発明の概要】
【０００７】
本発明の実施形態は、この必要性等に適合している。本発明の実施形態は、レーザシステムに対するローカルなユーザインターフェース（例えば、レーザシステムフロントパネル）またはホスト硝子体網膜手術システムユーザインターフェースといったリモート装置の何れかから手術用レーザを制御することが可能な制御アーキテクチャを持つ手術用レーザシステムを提供する。
【０００８】
本発明の一つの実施形態によれば、機能セットを実行するよう作動する手術用レーザユニットがアドバンスト制御ユニットと連結され、その手術用レーザユニットはアドバンスト制御ユニットにより制御可能とされる。そのアドバンスト制御ユニットは、硝子体網膜手術システム若しくは他の眼科手術システムといった手術システムであってもよい。
【０００９】
このように、ソフトウェア制御アーキテクチャ及び場合によっては機械部品に関して手術用レーザシステムの機能を一体化することにより、本発明の実施形態は、基本となるレーザユニットを外部制御装置に対して容易に結び付けられるという利点を与える。基本ユニットを利用するのに必要とされる学習曲線は、より複雑な外部ユニットに対して引き継がれ、手術用レーザユニットがスタンドアロン装置として使用され、あるいは硝子体網膜手術システムといった外部装置を介して制御される共通ユーザインタフェースを可能とする。
【００１０】
同様に、本発明の実施形態は、より複合的な機能の実行に利用可能であり、そのためこの高度な機能を実行する際に基本ユニットの機能または能力を重複させる必要性をなくすことができるという利点を提供する。このことは、より安価な初期価格で基本ユニットを購入可能であり、かつ基本ユニットが冗長となることなく高度な機能へアップグレードする際のコスト効果があるため、手術用レーザシステムのユーザにとって利点となる。
【００１１】
本発明のこれらの側面及び他の側面は、以下の説明及び添付の図面とともに考慮することで、より良く理解されるであろう。本発明の様々な実施形態及びその特定の詳細の幾つかを示す、以下の説明は例示に過ぎず、何ら限定するものではない。多くの置換、修正、追加または再構成を、本発明の範囲内で行うことが可能であり、本発明はそのような置換、修正、追加または再構成の全てを含む。
【００１２】
以下の説明を、同様の参照番号が同様の構成を示す添付の図面とともに参照することで、本発明及びその利点をより完全に理解できるであろう。
【図面の簡単な説明】
【００１３】
【図１】本発明による手術用レーザシステムの一つの実施形態の概略図である。
【図２】本発明による制御ユニットと連結された手術用レーザシステムの一つの実施形態の概略図である。
【図３】本発明の教示による硝子体網膜手術システム内に一体化された手術用レーザシステムの一つの実施形態の概略図である。
【図４】本発明の実施形態のグラフィカルユーザインターフェースの一つの実施形態の概略図である。
【図５】本発明のスタンドアロン手術用レーザユニット１００用の制御アーキテクチャ４００の一つの実施形態の概略図である。
【図６】アドバンスト制御ユニット２００と一体化された、本発明の手術用レーザユニット１００用の制御アーキテクチャ４００の一つの実施形態の概略図である。
【図７】本発明によるアドバンスト制御ユニット２００とつながれた（連結された）手術用レーザユニット１００用の制御アーキテクチャ４００の実施形態の概略図である。
【発明を実施するための形態】
【００１４】
本願は、2007年3月20日に出願された、米国特許仮出願第60/895,900号に基づく優先権を、米国特許法第119条に従って主張する。米国特許仮出願第60/895,900号は、ここにその全体が参照として組み込まれる。
【００１５】
本発明の好ましい実施形態が図示され、同様の参照番号が各図において同様の対応する部分を参照するために使用される。
【００１６】
本発明の実施形態は、手術用レーザシステムに対するローカルなユーザインターフェース（例えば、レーザシステムフロントパネル）から、及び硝子体網膜手術システムユーザインターフェースといった、リモートまたはホスト装置から手術用レーザを制御可能な手術用レーザシステム及び制御アーキテクチャを提供する。本発明の一つの実施形態によれば、カスタマイズ可能な特徴を持ち、かつ設定する主たるレーザのパラメータのセット、システム統計及び診断等と関連付けられた機能などのセットを実行操作可能な手術用レーザシステム（例えば、基本ユニット）が、他のユニット（例えば、アドバンスト制御ユニット）と連結され、基本ユニットはアドバンスト制御ユニットにより、基本ユニットの機能セットまたはより複合的な機能を実行または実行可能なように制御可能となっている。実行される機能には、事前操作ピクチャビューイング、カスタムマークされた治療ピクチャの生成、患者記録の生成及び印刷、アドバンストカスタマイズ、カスタムレーザパルスシーケンスのカスタム設定、生成及び発射の起動を行うドクターログイン、診断、統計、サービス要求または更新ソフトウェアのアップロードのイーサネット（登録商標）ポートまたは無線通信を通じた電気接続、ドクター及びカスタマー用無線RFIDチェックインなどが含まれる。このように、何れかのインターフェースからのコマンドは、特定のユーザインターフェースの実装にかかわらず所望のタスクを達成するよう伝送される。
【００１７】
そのため、本発明の実施形態は、硝子体網膜手術システムまたは他の眼科手術システムといった他のユニットにより基本手術用レーザシステムを制御して（すなわち、リモート制御して）、基本手術用レーザシステムがスタンドアロン装置として実行可能なものと同じ機能及びその機能よりも多くの機能を実行できるようにする。基本ユニットの機能をローカルに、または外部ユニットを介して制御することを可能とすることで、基本ユニットを、コスト及びサイズの両面で合理化することができ、かつ基本ユニットを利用するために必要とされる学習曲線を「オールインワン」ユニットに対して減少させることができ、基本ユニットをよりシンプルにすることができるとともに、将来の拡張を可能にする一方で「オールインワン」ユニットよりもコスト効果を高めることができる。基本ユニットは、（連結されたアドバンスト制御ユニットを介した）より複合的な機能の実行において利用され得るので、外部装置を介して他の機能を実行する際に基本ユニットの機能及び能力を複製する必要が無い。このことは、そのような手術用レーザシステムのユーザはより安価な初期価格で基本ユニットを購入し、基本ユニットを冗長なものにすることなく高度な機能へのコスト効果の高いアップグレードを行えるので、そのユーザにとって利点となる。
【００１８】
図１は、基本機能を備えた手術用レーザユニットの一つの実施形態の概略図である。基本手術用レーザユニット１００は、レーザ光源と、基本手術用レーザユニット１００が上述したような機能のセットを実行するよう作動可能な関連する制御ソフトウェアとを有する。
【００１９】
一つの実施形態において、基本手術用レーザユニット１００は、テキサス州フォートワースのアルコンラボラトリにより製造されたAlcon EyeLite Photocoagulatorのレーザ光源と同様のレーザ光源と、基本手術用レーザユニット１００を用いる機能セットを提供するよう作動可能な関連するソフトウェアとを有する。基本手術用レーザユニット１００は通信ポート１１０を有し、アドバンスト制御ユニットにより制御され（すなわち、リモート制御され）、同じ機能及びその機能よりも多くの機能（すなわち、基本手術用レーザユニット１００単独で実行される機能セットよりも高度あるいはその機能セットと異なる機能）を実行できるように、基本手術用レーザシステム１００を外部アドバンスト制御ユニットと通信可能に連結することを可能にしてもよい。アドバンスト制御ユニットは、例えば、手術用レーザとともに用いられ得る硝子体網膜手術システムまたは他の手術システムとすることができる。また基本手術用レーザユニット１００はユーザインターフェース１１５を有してもよく、ユーザインターフェース１１５は、タッチスクリーン、マウス、キーボードまたは他のユーザ入力デバイスを有する。ユーザインターフェース１１５は、基本手術用レーザユニット１００の機能を選択し、あるいは制御するためにオペレータにより用いられる。
【００２０】
図２は、アドバンスト制御ユニット２００と連結された基本手術用レーザユニット１００の実施形態の概略図である。基本手術用レーザユニット１００とアドバンスト制御ユニット２００とは、基本手術用レーザユニット１００及びアドバンスト制御ユニット２００のそれぞれの通信ポート１１０及び２１０を通じて互いに連結される。アドバンスト制御ユニット２００は、ソフトウェア（例えば、コンピュータ可読媒体上のコンピュータ実行可能な命令）と、アドバンスト制御ユニット２００が基本手術用レーザユニット１００またはその構成要素（例えば、基本手術用レーザユニット１００のレーザ光源１０５）を制御可能とするように作動するマイクロプロセッサとを有し、スタンドアロン構成において基本手術用レーザユニット１００が実行可能に作動する機能セットと同一及び／または異なる（例えば、より多くの特徴またはより高度な特徴の）機能セットを実行する。
【００２１】
そのため、幾つかの実施形態では、アドバンスト制御ユニット２００のソフトウェア及び／またはマイクロプロセッサは基本手術用レーザユニット１００の機能を実行し、そのため、アドバンスト制御ユニット２００は、基本ユニット１００を制御して、機能の基本セット及び機能の追加セット（例えば、アドバンスト制御ユニット２００と基本手術用ユニット１００とを利用して実行可能な機能セットは、スタンドアロン構成において基本手術用ユニット１００を用いて実行可能な機能のスーパーセットである）を実行できる。またアドバンスト制御ユニット２００は、ユーザインターフェース２２０を有してもよく、そのユーザインターフェース２２０は、タッチスクリーン、マウス、キーボードまたは当業者が知っているような他のユーザ入力デバイスを有してもよい。ユーザインターフェース２２０は、アドバンスト制御ユニット２００及び基本手術用レーザユニット１００の何れか、または両方の機能を選択し、あるいは制御するために使用される。
【００２２】
図３へ移ると、基本手術用レーザユニット１００をアドバンスト制御ユニット２００へ連結することにより基本手術用レーザユニット１００の機能が追加可能な他の構成が図示されている。この実施形態では、アドバンスト制御ユニット２００は、Series 2000 Legacy白内障手術システム、Accurus 400VS手術システム、及び／またはInfiniti Vision System手術システム（それらの全てはテキサス州フォートワースのアルコンラボラトリから市販されている）と同様な手術用コンソールを有し、かつ様々なツール及び消耗品を手術用コンソールと接続するために用いられる接続パネル２０５を有する。接続パネル２０５は、例えば、凝固コネクタ（coagulation connector）、平衡塩類溶液レシーバ、様々なハンドピース用コネクタ及び流体管理システム（FMS）またはカセットレシーバを含むことができる。手術用コンソール２００は、ユーザフットペダルコントロール（図示せず）及び他のそのような特徴といった、ユーザフレンドリな様々な特徴を含んでもよい。またアドバンスト制御ユニット２００は、旋回モニタ３２０を含んでもよく、その旋回モニタ３２０は、タッチスクリーンユーザインターフェースを有し、旋回モニタ３２０のタッチスクリーンを見る必要のある人に対して様々な方向へ向けることができる。旋回モニタ３２０は、左右にスイングできるだけでなく、回転及び傾けることができる。ユーザが手術用コンソール２００と情報をやり取りすることを可能とするグラフィカルユーザインターフェース（GUI）が、旋回モニタ３２０のタッチスクリーン上に提供または提示されてもよい。
【００２３】
上記のように、アドバンスト制御ユニット２００は通信ポート２１０を有してもよく、その通信ポート２１０を通じてアドバンスト制御ユニット２００は基本手術用レーザユニット１００と連結され（例えば、アドバンスト制御ユニット２００と基本手術用レーザユニット１００は通信ポート１１０及び２１０を通じて通信する）、またアドバンスト制御ユニット２００は、アドバンスト制御ユニット２００が基本手術用レーザユニット１００を制御して、基本手術用レーザユニット１００がスタンドアロン構成において実行するよう作動可能な特徴のセットと同一及び／または異なるセットを実行可能なように、ソフトウェア及び／またはマイクロプロセッサを含んでもよい。そのため、一つの実施形態では、旋回モニタ３２０のタッチスクリーン上に提供されるGUIを利用して、オペレータはアドバンスト制御ユニット２００と基本手術用レーザユニット１００の組み合わせを制御して、スタンドアロン構成において基本手術用レーザユニット１００が実行不能な追加機能を実行できる。そのようなグラフィカルユーザインターフェースの一例を図４に示す。あるいは、アドバンスト制御ユニット２００は、一体不可分な一部として、アドバンスト制御ユニット２００の一部としてビルトインされた基本手術用レーザユニット１００を有してもよい。これらの実施形態は機能的に同一であり、二つのユニットが物理的にどのように接続されるかに関して主に相違点が存在する。
【００２４】
基本手術用レーザユニット１００とアドバンスト制御ユニット２００間の連結が、何れかの適切な連結機構及び／またはプロトコルを介して達成されることは、当業者にとって明らかであろう。特に、基本手術用レーザユニット１００とアドバンスト制御ユニット２００間の通信は、有線または無線インターフェースを介して行われる。アドバンスト制御ユニット２００は、例えば、基本手術用レーザユニット１００がアドバンスト制御ユニット２００のシャーシ内のスポット（例えば、アドバンスト制御ユニット２００に存在する背面インターフェースを通じて）へ「プラグイン」するように、スロットのセットを有してもよい。一つの特定の実施形態では、通信ポート１１０及び２１０は、当業者にとって公知なイーサネット（登録商標）ポートとすることができる。
【００２５】
しかし、基本手術用レーザユニット１００及びアドバンスト制御ユニット２００はセンシティブなデバイスであり、それらが不適切に使用された場合に危険をもたらす可能性のある部品（例えば、レーザ光源）を有していることも想定される。したがって、適切なトレーニング及び／または権限なしに基本手術用レーザユニット１００またはアドバンスト制御ユニット２００を操作し、または容易に学習できる標準プロトコルを利用することは好ましくない。そこで、幾つかの実施形態では、通信ポート１１０及び２１０用に標準コネクタ（例えば、イーサネット（登録商標）コネクタ）が用いられるものの、基本手術用レーザユニット１００とアドバンスト制御ユニット２００間の専用通信を実行するためにこの標準コネクタに変更が施される。例えば、通信ポート１１０及び２１０を有するイーサネット（登録商標）コネクタの１本または複数のピンがスクランブルされてもよい（例えば、二つの通信ポート１１０、２１０間の線が標準イーサネット（登録商標）プロトコルにより特定されたピンとは異なるピンに接続されるか、あるいは通信ポート１１０、２１０のピンが標準的でない目的のために使用される）。さらに、基本手術用レーザユニット１００及び／またはアドバンスト制御ユニット２００の無権限な制御を防止するため、これらのスクランブル構成のタイプは、基本手術用レーザユニット１００またはアドバンスト制御ユニット２００が、無権限な装置または不適合な装置の連結を検出し、または制御若しくは通信において試行し、かつ不適正なアクセスのロギング、シャットダウン、警告音発生などの適切な是正措置を取ることを可能とするものでもよい。
【００２６】
図５は、スタンドアロンな基本手術用レーザユニット１００の制御アーキテクチャ４００の一つの実施形態の概略を表す図である。制御アーキテクチャ４００は、上述したアドバンスト制御ユニット２００のような外部制御装置とインターフェースをとるために、本発明に従って設計される。制御アーキテクチャ４００は、レーザ制御システム４１０と、プロキシ４２０と、ユーザインターフェース４３０（例えば、ユーザインターフェース１１５のソフトウェアコンポーネント）とを有する。制御アーキテクチャ４００は、ここに述べた機能の少なくとも何れかを実行するように作動するコンピュータ実行可能なソフトウェア命令を有する。制御アーキテクチャ４００は、基本手術用レーザユニット１００のローカルなユーザインターフェース４３０と、アドバンスト制御ユニット２００といった、同一のコマンドセット及び同様のインターフェースを介して通信する、１または複数の外部装置とを含む、複数の装置とともに使用されるように作動可能なレーザ制御システム４１０を提供する。
【００２７】
図６は、アドバンスト制御ユニット２００と一体化された、スタンドアロン基本手術用レーザユニット１００の制御アーキテクチャ４００の実施形態の概略図である。この実施形態では、アドバンスト制御ユニット２００のユーザインターフェース５３０（例えば、ユーザインターフェース２２０のソフトウェアコンポーネント）は、プロキシ４２０を介してアドバンスト制御ユニット２００から基本手術用レーザユニット１００の制御及び操作をすることが可能なレーザ制御システム４１０とインターフェースをとる。同様に、図７は、単一化されたユーザインターフェース及び制御のために、（アドバンスト制御ユニット２００内に一体化されたものと対照的に）アドバンスト制御ユニット２００とつながれた（連結された）基本手術用レーザユニット１００用の制御アーキテクチャ４００の実施形態の概略図である。この実施形態では、アドバンスト制御ユニット２００のユーザインターフェース５３０は、図６の一体化された実施形態と同様に、プロキシ４２０を介してアドバンスト制御ユニット２００から基本手術用レーザユニット１００の制御及び操作をすることが可能なレーザ制御システム４１０とインターフェースをとる。
【００２８】
イーサネット（登録商標）、RS232、またはアドレス／データバス（若しくは上記及び／または当業者にとって既知の他のインターフェース）といった、ユーザインターフェースとレーザ制御システム４１０間の複数の物理インターフェースを、本発明の実施形態によりサポートしてもよい。ソフトウェアプロキシ４２０は、物理インターフェースドライバからコマンドを受信し、レーザ制御システム４１０へコマンドを配信するために使用できる。そのようなコマンドの例には、レーザパワー、パルス幅、パルス間時間、照準光パワー等を変更するコマンドが含まれる。ユーザインターフェースの外観または挙動を決定するプリファレンスといった、ユーザインターフェース（例えば、ユーザインターフェース４３０、５３０）固有のコマンドは含まれる必要は無い。それらは、ユーザインターフェース自体に対するローカルなものだからである。このように、本発明の実施形態は、ローカルなユーザインターフェース（例えば、ユーザインターフェース４３０）またはリモート制御システム（例えば、アドバンスト制御システム２００のユーザインターフェース５３０）から手術用レーザシステム（またはそのような何れかの電子システム）の一貫した制御を可能にするソフトウェアアーキテクチャ及びコマンドセット構造を提供できる。
【００２９】
本発明について特定の実施形態を参照しつつ説明してきたが、これらの実施形態は例示であり、本発明の範囲はこれらの実施形態に限定されるものではないことが理解されるであろう。上記の実施形態に対する多くの変形、修正、追加及び改良を行うことが可能である。これらの変形、修正、追加及び改良は、以下の請求項において詳述されている本発明の範囲から外れないことが意図されている。
【図１】
2010522040.tif 000003
【図２】
2010522040.tif 000004
【図３】
2010522040.tif 000005
【図４】
2010522040.tif 000006
【図５】
2010522040.tif 000007
【図６】
2010522040.tif 000008
【図７】
2010522040.tif 000009
【国際調査報告】
2010522040.tif 000010
2010522040.tif 000011
2010522040.tif 000012